(57)【要約】【課題】汚れ等の付着や不快な異音などの不具合の発生抑制等を図ることができる排水栓装置を提供する。【解決手段】排水栓装置１は、栓蓋本体部６１及びパッキン部６２を有する栓蓋６と、排水口１０２を通過して流れる排水の流路を構成する流路構成部９と、流路構成部９へと流れ込む排水と接触することで排水の流れに作用する羽根７３、及び、環状の取付部７２を具備してなる整流部材７とを備える。栓蓋本体部６１の裏側には、外周にパッキン部６２が取付けられる外側筒部６１２が設けられる。整流部材７は、取付部７２が外側筒部６１２の外周に取付けられることで、栓蓋本体部６１の裏側に配設される。羽根７３が排水に影響を与えることで、上記不具合の発生抑制が図られる。また、状況に応じて適切な整流部材７を栓蓋本体部６１へと取付けることで、上記作用効果をより確実に発揮できる。【選択図】      図１
2020020100.tif 000002
【特許請求の範囲】
【請求項１】
円板状をなす栓蓋本体部、及び、当該栓蓋本体部に取付けられた環状のパッキン部を有し、槽体に設けられた排水口を開閉するための上下動可能な栓蓋と、
前記排水口を通過して流れる排水の流路を構成する流路構成部とを備え、
前記栓蓋の上下動により前記排水口の開閉状態が切換えられるように構成された排水栓装置であって、
前記栓蓋本体部の裏側には、外周に前記パッキン部が取付けられる外側筒部が設けられ、
前記流路構成部へと流れ込む排水と接触することで排水の流れに作用する羽根、及び、環状の取付部を具備してなる整流部材を有し、
前記整流部材は、前記取付部が前記外側筒部の外周に取付けられた状態とされることで、前記栓蓋本体部の裏側に配設されていることを特徴とする排水栓装置。
【請求項２】
前記取付部は、前記パッキン部の下方において当該パッキン部と近接又は接触した状態で配置されることを特徴とする請求項１に記載の排水栓装置。
【請求項３】
前記外側筒部の外周には、その周方向に沿って間隔をあけて複数の突起状の爪部が設けられ、
前記取付部は、少なくとも内周部分が前記爪部に係止された状態で、前記外側筒部の外周に取付けられていることを特徴とする請求項１又は２に記載の排水栓装置。
【請求項４】
前記パッキン部は、下方に向けて開口する環状凹部を具備し、
前記取付部は、前記環状凹部における開口の少なくとも一部を覆うように構成されていることを特徴とする請求項２又は３に記載の排水栓装置。
【請求項５】
前記取付部は、前記環状凹部における開口の全域を覆うように構成されていることを特徴とする請求項４に記載の排水栓装置。
【請求項６】
前記栓蓋の裏側を支持するとともに、自身の上下動により前記栓蓋を上下動させることが可能な支持軸と、
前記支持軸が内側に配置される筒状の保持部を有するとともに、前記流路構成部の内側に取付けられるアタッチメント部材とを備え、
前記栓蓋本体部の裏側には、前記支持軸の外側かつ前記外側筒部の内側に位置する内側筒部が設けられ、
前記内側筒部は、前記支持軸の上下動に伴い前記保持部の外周に沿って移動するように構成されていることを特徴とする請求項１乃至５のいずれか１項に記載の排水栓装置。
【請求項７】
前記整流部材は、前記内側筒部及び前記外側筒部間に形成された溝部へと埋設される被埋設部を有することを特徴とする請求項６に記載の排水栓装置。
【請求項８】
前記流路構成部に対する前記栓蓋の回転を規制する回転規制手段を備えることを特徴とする請求項１乃至７のいずれか１項に記載の排水栓装置。
【請求項９】
前記羽根は、前記流路構成部へと流れ込む排水と接触することで、前記流路構成部の内周面を回転する方向に流れる水流を発生させるように構成されていることを特徴とする請求項１乃至８のいずれか１項に記載の排水栓装置。
【請求項１０】
前記栓蓋の裏側を支持するとともに、自身の上下動により前記栓蓋を上下動させることが可能な支持軸と、
前記支持軸が内側に配置される筒状の保持部、及び、当該保持部の外周から外側に延びるとともに、当該保持部の周方向に沿って間隔をあけた状態で複数設けられる連結部を有し、前記流路構成部の内側に取付けられるアタッチメント部材とを備え、
前記羽根は、前記排水口を開状態としたときにおいて、複数の前記連結部の間に配置された状態となるように構成されていることを特徴とする請求項１乃至９のいずれか１項に記載の排水栓装置。
【発明の詳細な説明】
【技術分野】
【０００１】
本発明は、槽体の排水口を開閉可能な栓蓋を有する排水栓装置に関する。
【背景技術】
【０００２】
排水栓装置は、槽体（例えば、浴槽や洗面ボウルなど）の排水口に設けられた栓蓋を備えており、栓蓋を上下動させることで排水口を開閉させるものである。
【０００３】
排水栓装置としては、排水口を通過して流れる排水の流路を構成する流路構成部（例えば、排水口に挿通される筒状の排水口部材や当該排水口部材と直列的に接続される配管などを備えたもの）と、流路構成部の内側に配置され、栓蓋を上下動可能な状態で支持する棒状の支持軸と、所定の操作部（例えば、操作ボタンや操作ハンドル等）の変位（操作）に伴い往復移動可能な伝達部材（例えばワイヤ等）とを備えたものが一般に知られている（例えば、特許文献１等参照）。このような排水栓装置においては、操作部の変位に伴い伝達部材が往復移動することで支持軸及び栓蓋が上下動し、ひいては排水口の開閉状態が切換えられるようになっている。尚、浴槽に設けられる排水栓装置においては、設置スペースや部品点数の削減などを考慮して、浴室洗い場の排水口に対応して設けられた排水トラップと前記流路構成部とを繋がった状態とし、浴槽の排水口を通過した排水と洗い場の排水口を通過した排水との双方が共通の排水流路へと流れ込むように構成する場合もある。
【先行技術文献】
【特許文献】
【０００４】
【特許文献１】特開２０１６−１３２８９７号公報
【発明の概要】
【発明が解決しようとする課題】
【０００５】
ところで、排水栓装置においては、排水に伴う次のような不具合が生じ得る。すなわち、流路構成部の内周面に、排水に伴う汚れや異物が付着してしまうといった不具合や、流路構成部内へと水が勢いよく多量に流れ込むことで、不快な異音（例えば「ゴボゴボ」といった音）が発生してしまうといった不具合である。また、前記排水トラップと流路構成部とを繋がった状態とした場合には、流路構成部内へと水が勢いよく多量に流れ込むことで、洗い場の排水口から排水が溢れ出してしまうといった不具合も生じ得る。
【０００６】
本発明は、上記事情に鑑みてなされたものであり、その目的は、上記不具合の発生抑制等を図ることができる排水栓装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．円板状をなす栓蓋本体部、及び、当該栓蓋本体部に取付けられた環状のパッキン部を有し、槽体に設けられた排水口を開閉するための上下動可能な栓蓋と、
前記排水口を通過して流れる排水の流路を構成する流路構成部とを備え、
前記栓蓋の上下動により前記排水口の開閉状態が切換えられるように構成された排水栓装置であって、
前記栓蓋本体部の裏側には、外周に前記パッキン部が取付けられる外側筒部が設けられ、
前記流路構成部へと流れ込む排水と接触することで排水の流れに作用する羽根、及び、環状の取付部を具備してなる整流部材を有し、
前記整流部材は、前記取付部が前記外側筒部の外周に取付けられた状態とされることで、前記栓蓋本体部の裏側に配設されていることを特徴とする排水栓装置。
【０００９】
上記手段１によれば、栓蓋本体部の裏側には、排水と接触することで、排水の流れに作用する羽根を具備してなる整流部材が設けられている。従って、羽根の数や形状、大きさなどを調節することで、例えば、流路構成部の内周面に向けた水流（外向き水流）や流路構成部の内周面を回転する方向に流れる水流（螺旋流）を生じさせたり、流路構成部内へと流れ込む排水の流量を調節したりすることができる。
【００１０】
ここで、上記のような水流を生じさせることによって、排水を、流路構成部の内周面に対し押し当てるようにして流したり、流路構成部の内周面を回転するようにして流したりすることが可能となる。そのため、流路構成部の内周面に対する汚れや異物の付着を効果的に抑制することができ、また、仮に流路構成部の内周面に汚れや異物が付着したとしても、これらを効果的に洗い流すことができる。その結果、良好な衛生性や美観をより長期間に亘って維持することができる。さらに、清掃に係る頻度や手間を減らすことができ、使い勝手を向上させることができる。
【００１１】
また、流路構成部内へと流れ込む排水の流量を調節することによって、不快な異音の発生や、洗い場の排水口からの排水の溢れ出しなどをより確実に防止することができる。
【００１２】
一方、槽体や各種部品の形状やサイズ、位置関係などの種々の要素によって、排水時に生じる水流や流路構成部内へと流れ込む排水の流量などの状況は様々に変化する。そのため、同一態様の羽根を用いた場合であっても、上記のような作用効果を十分に得られる場合とそうでない場合とが生じることがある。
【００１３】
この点、上記手段１によれば、整流部材は、自身の取付部が外側筒部の外周に取付けられた状態とされることで、栓蓋本体部の裏側に配設されるように構成されている。従って、排水時に生じる水流や排水の流量などの状況に応じて適切な整流部材を栓蓋本体部へと取付けることにより、上記のような作用効果をより確実に発揮させることが可能となる。また、整流部材のみを複数用意すれば足り、栓蓋本体部として共通のものを用いることができるため、羽根の数や形状等を種々異なるものとした栓蓋を多数用意する場合と比較して、コストの増大を効果的に抑制することができる。
【００１４】
さらに、環状の取付部を外側筒部へと取付けるという非常に簡便な手法により、整流部材を栓蓋本体部の裏側に配設することができる。そのため、整流部材の取付や交換などに係る利便性を十分に高めることができる。
【００１５】
手段２．前記取付部は、前記パッキン部の下方において当該パッキン部と近接又は接触した状態で配置されることを特徴とする手段１に記載の排水栓装置。
【００１６】
従前においては、外側筒部の下部に外向きの鍔部を一体に設け、当該鍔部によって外側筒部からのパッキン部の脱落を防止する手法が一般的に用いられている。しかし、この手法では、外側筒部の外周にパッキン部を取付ける際に、前記鍔部を乗り越えるようにしてパッキン部を大きく拡径変形させる必要があり、取付作業性が良好であるとは言い難い。また、このような取付が可能であるということは、逆に、パッキン部が前記突起を乗り越えて外側筒部から外れて（脱落して）しまう可能性があるということになる。尚、パッキン部の脱落を防ぐために鍔部の外径を大きなものとすれば、パッキン部の取付が不可能又は極めて困難となってしまったり、過度の拡径変形に伴うパッキン部の破損や変形（塑性変形）が生じてしまったりするおそれがある。
【００１７】
この点、上記手段２によれば、取付部は、パッキン部の下方においてパッキン部と近接又は接触した状態で配置されるように構成されており、この取付部によって、外側筒部からのパッキン部の脱落（抜け）を防止できるようになっている。従って、パッキン部の脱落防止のために外側筒部の下部に鍔部を設ける必要がなくなるとともに、外側筒部の外周にパッキン部を予め配置した後に、当該パッキン部の脱落を防止するようにして外側筒部の外周へと取付部を取付けるといったことが可能となる。そのため、外側筒部の外周に対するパッキン部の取付にあたって、パッキン部を大きく拡径変形させる必要がなくなる。これにより、パッキン部の取付をより容易に行うことが可能となり、取付作業性を向上させることができる。また、拡径変形によるパッキン部の破損や変形をより確実に防止することができる。
【００１８】
さらに、取付部に関し、パッキン部が乗り越えられるような構成とする必要はない。そのため、例えば取付部の外径を比較的大きなものとして、パッキン部が拡径変形しても取付部を乗り越えられないという構成にすることができる。このような構成とすることで、外側筒部からパッキン部が外れて（抜けて）しまうことを極めて効果的に防止でき、取付状態に係る信頼性を非常に優れたものとすることができる。
【００１９】
手段３．前記外側筒部の外周には、その周方向に沿って間隔をあけて複数の突起状の爪部が設けられ、
前記取付部は、少なくとも内周部分が前記爪部に係止された状態で、前記外側筒部の外周に取付けられていることを特徴とする手段１又は２に記載の排水栓装置。
【００２０】
上記手段３によれば、外側筒部の外周には複数の爪部が設けられており、外側筒部の外周に取付部を取付けた状態において、取付部が爪部に係止された（掛かった）状態となるように構成されている。従って、外側筒部に対し取付部（整流部材）をより安定した状態で取付けることができ、栓蓋本体部からの整流部材の脱落防止や外側筒部からのパッキン部の脱落防止をより確実に図ることができる。
【００２１】
手段４．前記パッキン部は、下方に向けて開口する環状凹部を具備し、
前記取付部は、前記環状凹部における開口の少なくとも一部を覆うように構成されていることを特徴とする手段２又は３に記載の排水栓装置。
【００２２】
排水口を閉状態としたときに、所定の接触対象部（例えば、槽体や流路構成部など）へとパッキン部をより確実に密着可能とすべく、下方に開口する環状凹部をパッキン部に設けることで、パッキン部を比較的変形しやすい状態とすることがある。しかしながら、この場合には、環状凹部の存在によって美観の低下を招いてしまうおそれがある。
【００２３】
この点、上記手段４によれば、取付部によって、環状凹部における開口の少なくとも一部が覆われる。従って、より良好な美観を得ることができる。また、取付部は、栓蓋本体部に対する整流部材の取付機能と、パッキン部の脱落防止機能と、環状凹部のカバー機能とを兼ね備えたものとなるため、これら機能を発揮する部分を別々に設ける場合と比較して、装置の小型化や簡素化を図ることができる。
【００２４】
手段５．前記取付部は、前記環状凹部における開口の全域を覆うように構成されていることを特徴とする手段４に記載の排水栓装置。
【００２５】
上記手段５によれば、取付部によって、環状凹部における開口の全域が覆われる。従って、非常に良好な美観を得ることができる。また、環状凹部における開口の全域を覆うように取付部を構成することで、結果的に、パッキン部における取付部の乗り越えを極めて生じにくい状態とすることができる。これにより、外側筒部からのパッキン部の脱落を一層効果的に防ぐことができ、取付状態に係る信頼性をより優れたものとすることができる。
【００２６】
手段６．前記栓蓋の裏側を支持するとともに、自身の上下動により前記栓蓋を上下動させることが可能な支持軸と、
前記支持軸が内側に配置される筒状の保持部を有するとともに、前記流路構成部の内側に取付けられるアタッチメント部材とを備え、
前記栓蓋本体部の裏側には、前記支持軸の外側かつ前記外側筒部の内側に位置する内側筒部が設けられ、
前記内側筒部は、前記支持軸の上下動に伴い前記保持部の外周に沿って移動するように構成されていることを特徴とする手段１乃至５のいずれかに記載の排水栓装置。
【００２７】
上記手段６によれば、支持軸の上下動に伴い、保持部の外周に沿って内側筒部が移動するため、栓蓋における傾きや水平方向に沿った位置ずれの発生をより確実に防止することができる。これにより、排水口を開状態としたときにおいて、支持軸の周方向に沿って、栓蓋（栓蓋本体部）の下方に形成される隙間（排水の流路となる隙間）の大きさ（高さ）にバラツキが生じてしまうことをより確実に防止できる。その結果、整流部材（羽根）によって、より確実に狙いの作用を生じさせることが可能となる。また、栓蓋の傾き等が防止されることによって、一層良好な美観を得ることができる。
【００２８】
手段７．前記整流部材は、前記内側筒部及び前記外側筒部間に形成された溝部へと埋設される被埋設部を有することを特徴とする手段６に記載の排水栓装置。
【００２９】
上記手段７によれば、内側筒部及び外側筒部間に形成された溝部へと被埋設部が埋設された状態となるため、外側筒部は、その内周部分が被埋設部によって支えられた状態となる。そのため、排水口を閉状態としたときに、外側筒部の外周に取付けられたパッキン部を、所定の接触対象部（例えば、槽体や流路構成部など）へとより安定した状態で接触させることができ、止水状態の安定性を高めることができる。
【００３０】
さらに、溝部に被埋設部が埋設されることで、内側筒部の外側への撓み変形をより生じにくくすることができる。従って、保持部の外周に沿った内側筒部の移動をより安定した状態で行うことができ、栓蓋における傾き等の発生防止をより確実に図ることができる。
【００３１】
手段８．前記流路構成部に対する前記栓蓋の相対回転を規制する回転規制手段を備えることを特徴とする手段１乃至７のいずれかに記載の排水栓装置。
【００３２】
尚、「流路構成部に対する栓蓋の相対回転を規制する」とあるのは、流路構成部に対し栓蓋が厳密に相対回転不能な状態とされる場合のみならず、流路構成部に対し栓蓋が若干だけ相対回転可能な状態とされる場合も含む。従って、栓蓋が若干だけ相対回転したときに、回転規制手段によって栓蓋のそれ以上の相対回転が規制される構成であってもよい。
【００３３】
上記手段８によれば、回転規制手段によって流路構成部に対する栓蓋の相対回転を規制することができる。これにより、排水による羽根の回転を抑えることができ、羽根によって排水の流れへとより確実に作用することができる。その結果、狙いの水流を生じさせたり、流路構成部内へと流れ込む排水の流量を調節したりすることがより確実に可能となる。
【００３４】
手段９．前記羽根は、前記流路構成部へと流れ込む排水と接触することで、前記流路構成部の内周面を回転する方向に流れる水流を発生させるように構成されていることを特徴とする手段１乃至８のいずれかに記載の排水栓装置。
【００３５】
上記手段９によれば、羽根によって、流路構成部の内周面を回転する方向に流れる水流（螺旋流）を生じさせることができる。従って、流路構成部の内周面に対する汚れや異物の付着をより効果的に抑制することができ、また、仮に流路構成部の内周面に汚れや異物が付着したとしても、これらを一層効果的に洗い流すことができる。その結果、衛生性や美観、使い勝手に関する作用効果をより向上させることができる。
【００３６】
手段１０．前記栓蓋の裏側を支持するとともに、自身の上下動により前記栓蓋を上下動させることが可能な支持軸と、
前記支持軸が内側に配置される筒状の保持部、及び、当該保持部の外周から外側に延びるとともに、当該保持部の周方向に沿って間隔をあけた状態で複数設けられる連結部を有し、前記流路構成部の内側に取付けられるアタッチメント部材とを備え、
前記羽根は、前記排水口を開状態としたときにおいて、複数の前記連結部の間に配置された状態となるように構成されていることを特徴とする手段１乃至９のいずれかに記載の排水栓装置。
【００３７】
尚、上記手段６，１０における支持軸及びアタッチメント部材は同じものを意味し、上記手段６に上記手段１０が従属する場合に、支持軸やアタッチメント部材が複数存在するといったことを意図したものではない。
【００３８】
上記手段１０によれば、排水口が開状態であるときに、羽根が複数の連結部の間に配置されるように構成されている。従って、連結部よりも上方に羽根全体が存在する場合と比較して、羽根によって生じた水の流れが連結部によって阻害されてしまうといった事態をより生じにくくすることができる。その結果、連結部よりも下方へと螺旋流などの水流をより確実に流すことができ、衛生性や美観、使い勝手に関する作用効果をより一層向上させることができる。
【図面の簡単な説明】
【００３９】
【図１】排水栓装置の断面図である。
【図２】裏側から見たときにおける栓蓋本体部の斜視図である。
【図３】栓蓋及びこれに取付けられた整流部材の斜視図である。
【図４】整流部材の斜視図である。
【図５】別の実施形態における栓蓋及びこれに取付けられた整流部材の斜視図である。
【発明を実施するための形態】
【００４０】
以下に、一実施形態について図面を参照しつつ説明する。図１に示すように、排水栓装置１は、槽体としての浴槽１００に取付けられている。浴槽１００は、その底面を構成する底面部１０１を備えており、当該底面部１０１には排水口１０２が貫通形成されている。
【００４１】
排水栓装置１は、排水口部材２と、配管３と、アタッチメント部材４と、支持軸機構５と、栓蓋６と、整流部材７とを備えている。
【００４２】
排水口部材２は、円筒状に形成されており、自身の中心軸と排水口１０２の中心軸とがほぼ一致するように排水口１０２に挿設されている。また、排水口部材２は、その上端部において径方向外側に突出形成された鍔部２１と、当該鍔部２１よりも下側の外周に形成された雄ねじ部２２とを備えている。
【００４３】
さらに、排水口部材２の内周には、内側に向けて突出形成された取付用突部２３と、外側に向けて凹んだ形状をなす取付用凹部（不図示）とが、排水口部材２の周方向に沿って交互に複数形成されている。取付用突部２３及び取付用凹部は、アタッチメント部材４の被取付部として機能する。
【００４４】
配管３は、屈曲筒状をなしており、その一端部（上端部）内周に前記雄ねじ部２２を螺合可能な雌ねじ部３１を備えている。そして、排水口１０２に排水口部材２を挿通しつつ雄ねじ部２２を雌ねじ部３１に螺合し、鍔部２１及び配管３の上端面により底面部１０１を挟み込むことで、排水口部材２及び配管３が接続されるとともに、両者が浴槽１００に取付けられた状態となっている。
【００４５】
尚、本実施形態において、配管３の上端面と底面部１０１の裏面との間には、弾性変形可能な材料（例えば、樹脂やゴム等）により形成された環状のシール部材８が配置されている。当該シール部材８によって、排水口部材２及び配管３と浴槽１００との間からの漏水防止が図られている。
【００４６】
さらに、配管３は、図示しない浴室洗い場の排水口に対応して設けられた排水トラップ（不図示）と繋がった状態とされており、配管３へと流れ込んだ水と、前記洗い場の排水口を通過した排水との双方が共通の排水流路（不図示）へと流れ込むように構成されている。
【００４７】
また、本実施形態において、排水口部材２及び配管３は、排水口１０２を通過して流れる排水の流路を構成する。従って、本実施形態では、排水口部材２及び配管３によって流路構成部９が構成されている。
【００４８】
アタッチメント部材４は、排水の流路において支持軸機構５を保持するためのものであり、流路構成部９の内部に配置されている。アタッチメント部材４は、外環部４１、連結部４２及び保持部４３を備えている。
【００４９】
外環部４１は、流路構成部９（排水口部材２）に対するアタッチメント部材４の取付部として機能する。本実施形態において、外環部４１の下面には、複数の凹部（不図示）が外環部４１の周方向に沿って間隔をあけて複数設けられており、また、外環部４１の外周面には、複数の突部（不図示）が外環部４１の周方向に沿って間隔をあけて複数設けられている。そして、外環部４１の前記凹部に排水口部材２の前記取付用突部２３を配置するとともに、外環部４１の前記突部を排水口部材２の前記取付用凹部へと配置することで、アタッチメント部材４が、流路構成部９（排水口部材２）の内側に取付けられた状態となっている。
【００５０】
連結部４２は、外環部４１の内周面と保持部４３の外周面とを連結する部位である。連結部４２は、保持部４３の外周から保持部４３の径方向外側に向けて延びるとともに、保持部４３の周方向に沿って間隔をあけた状態で複数（本実施形態では、等間隔に２つ）設けられている。流路構成部９に流れ込んだ排水は、各連結部４２間の隙間を通って下流へと流れるようになっている。
【００５１】
保持部４３は、自身の内周において支持軸機構５を保持するためのものである。保持部４３は、全体として円筒状をなしており、外環部４１よりも内側において外環部４１と同軸状に設けられている。また、保持部４３の上部外周には、外側に向けて突出し、保持部４３からの栓蓋６（後述する内側筒部６１３）の抜けを防止するための外向突部（不図示）が設けられている。
【００５２】
支持軸機構５は、栓蓋６を上下動させるためのものであり、ケース部５１及び支持軸５２を備えている。ケース部５１は、円筒状をなしており、上下動不能な状態で保持部４３により保持されている。支持軸５２は、円柱状をなしており、上下動可能な状態でケース部５１の内周に配置されている。
【００５３】
加えて、支持軸５２は、図示しない操作部（例えば押しボタン等）の変位による駆動力を伝達するための伝達部材１０（例えば、金属製のワイヤ）の端部が接触可能に構成されている。伝達部材１０は、筒状のチューブ部材１１の内周において往復移動可能な状態で配置されている。尚、前記操作部を備えてなる操作装置（図示せず）には、伝達部材１０を往動（前記操作部側から支持軸機構５側に移動）した状態でロックすることにより、支持軸５２をロックするための図示しないロック機構（例えば、スラストロック機構）が設けられている。
【００５４】
さらに、支持軸５２の内部には、アブソーバスプリング５３が配設されている。当該アブソーバスプリング５３によって、栓蓋６を踏み付けた場合など、栓蓋６へと下向きの大きな力が加わった場合に、伝達部材１０やアタッチメント部材４等に過大な負荷が加わらないように構成されている。尚、図１では、アブソーバスプリング５３及び次述する戻りばね５４の断面のみをそれぞれ示している。
【００５５】
また、ケース部５１と支持軸５２との間には、支持軸５２に対し下動方向への力を付与する戻りばね５４が設けられている。
【００５６】
本実施形態では、前記操作部を操作（例えば、押圧）することで伝達部材１０が往動したとき、支持軸５２は、戻りばね５４からの力に抗して伝達部材１０により押し上げられる。そして、支持軸５２が十分に上動した状態で前記操作部への操作が解除されると、支持軸５２が若干だけ下降しつつ、前記ロック機構によって伝達部材１０が往動した状態でロックされる。その結果、支持軸５２は上動した状態でロックされる。
【００５７】
一方、この状態で前記操作部を再度操作すると、伝達部材１０が再び往動し、前記ロック機構による伝達部材１０のロックが解除される。そして、前記操作部に対する操作が解除されると、戻りばね５４からの付勢力によって支持軸５２は下動する。また、支持軸５２の下動に伴い、伝達部材１０が復動する。
【００５８】
このように本実施形態では、前記操作部を操作する度に、上方位置における支持軸５２のロックと、伝達部材１０のロック解除に伴う支持軸５２の下動とが交互に行われる。尚、支持軸５２をロックするためのロック機構を、支持軸機構５に設けることとしてもよい。
【００５９】
栓蓋６は、排水口１０２を開閉するための栓である。栓蓋６は、樹脂等からなる円板状の栓蓋本体部６１と、弾性変形可能な材料により形成された環状のパッキン部６２とを有している。本実施形態では、前記操作部への操作に伴い支持軸５２及び栓蓋６が上動し、パッキン部６２が排水口部材２から離間した状態となることで、排水口１０２が開状態とされる（図１参照）。一方、この状態で、前記操作部への操作に伴い支持軸５２が下動し、パッキン部６２の外周部分全域が排水口部材２と接触することで、排水口１０２が閉状態とされる。
【００６０】
また、栓蓋６は、支持軸５２の上端部に取付けられておらず、少なくとも排水口１０２が開状態であるときに支持軸５２の上端面に対し単に載置された状態となるように配設されている。一方、本実施形態において、栓蓋６は、排水口１０２が閉状態であるときに、排水口部材２にパッキン部６２が接触することで、支持軸５２の上端面から離間した状態（浮いた状態）となるように構成されている。これにより、排水口部材２へとパッキン部６２をより確実に密着させることができ、良好な止水性を得ることが可能となっている。尚、栓蓋６及びこれに取付けられる整流部材７からなる部品は、その比重が１よりも大きくなるように（つまり、水に沈むように）構成されており、自重のみで排水口１０２を閉鎖可能とされている。
【００６１】
加えて、前記栓蓋本体部６１は、図２に示すように、円板状の基部６１１と、それぞれ当該基部６１１の裏面から下方に突出する外側筒部６１２及び内側筒部６１３とを備えている。
【００６２】
外側筒部６１２は、外周にパッキン部６２が取付けられる部位であり、その先端部及び基端部を除いた大部分がほぼ一定の外径を有する円筒状をなしている。外側筒部６１２における外径が一定の部分は、弾性変形していない状態のパッキン部６２の内径よりも僅かに大きな外径を有するものとされている。
【００６３】
また、外側筒部６１２の先端部（下端部）外周には、外側に突出する突起状の爪部６１２Ａが設けられている。爪部６１２Ａは、外側筒部６１２の周方向に沿って間隔をあけて複数（本実施形態では、等間隔に４つ）設けられている。
【００６４】
内側筒部６１３は、支持軸５２の外側かつ外側筒部６１２の内側に位置する筒状部位である。内側筒部６１３は、外側筒部６１２と同心円状に形成された根元側円筒部６１３Ａと、当該根元側円筒部６１３Ａの先端部（下端部）から下方に延びる複数の脚部６１３Ｂとを備えている。根元側円筒部６１３Ａは、その先端部（下端部）が外側筒部６１２の先端部（下端部）よりも下方に位置する形状をなしており、根元側円筒部６１３Ａ及び外側筒部６１２間には、底面視円環状の溝部６１４が形成されている。
【００６５】
脚部６１３Ｂは、栓蓋６の傾きや水平方向に沿った位置ずれの発生を防止しつつ、栓蓋６の上下動をガイドするためのものである。脚部６１３Ｂは、根元側円筒部６１３Ａの周方向に沿って等間隔に複数（本実施形態では４本）設けられており、保持部４３の外周に配置されている（図１参照）。そして、脚部６１３Ｂは、支持軸５２の上下動に伴い保持部４３の外周に沿って移動するようになっている。
【００６６】
また、各脚部６１３Ｂの先端部（下端部）内周には、内側（内側筒部６１３の中心側）に突出した内向突部６１３Ｃが設けられている。内向突部６１３Ｃは、栓蓋６が上動したときに保持部４３の前記外向突部と接触可能とされており、内向突部６１３Ｃ及び前記外向突部によって、保持部４３からの栓蓋６（内側筒部６１３）の抜け防止が図られている。
【００６７】
さらに、各脚部６１３Ｂは、排水口１０２が開状態であるときに、連結部４２同士の間に配置されるようになっている。各脚部６１３Ｂが連結部４２同士の間に配置されることで、流路構成部９に対する栓蓋６の相対回転を規制することができるようになっている。本実施形態では、各脚部６１３Ｂによって回転規制手段が構成されている。
【００６８】
また、前記パッキン部６２は、その周方向に沿って連続的に延び、下方に向けて開口する環状凹部６２１（図１参照）を有している。当該環状凹部６２１によって、パッキン部６２のうち少なくとも排水口部材２と密着する部位は、上下方向に沿って変形しやすい状態となっており、その結果、パッキン部６２及び排水口部材２の密着性向上が図られている。
【００６９】
整流部材７は、流路構成部９へと流れ込む排水の流れや流量を調節するための部材である。整流部材７は、図３及び図４に示すように、栓蓋６の裏側に配設されており、筒状基部７１と、取付部７２と、羽根７３と、被埋設部７４とを備えている。
【００７０】
筒状基部７１は、その外周から羽根７３が突出する筒状部位であり、内側筒部６１３の外周に配置されている。本実施形態において、筒状基部７１の外周面は、下方に向けて徐々に内径が減少するテーパ面とされている。尚、筒状基部７１の外周面を、上下方向に沿って一定の外径を有する形状としてもよい。
【００７１】
取付部７２は、栓蓋６に対する整流部材７の取付などに用いられる部位である。取付部７２は、筒状基部７１の外側に位置し、当該筒状基部７１と同心円状の環状をなしている。取付部７２は、羽根７３によって筒状基部７１と連結されている。また、取付部７２の内周には、前記爪部６１２Ａを配置するための複数の凹部７２１が設けられている。
【００７２】
さらに、取付部７２の外径は、パッキン部６２の外径よりは小さなものである一方、パッキン部６２の内径よりも十分に大きなものとされている。
【００７３】
羽根７３は、流路構成部９へと流れ込む排水と接触することで排水の流れに作用する部位である。羽根７３は、筒状基部７１の周方向に沿って間隔をあけて複数（本実施形態では、等間隔に４枚）設けられている。本実施形態において、各羽根７３は、平面視したときに筒状基部７１の周方向一方側に向けて徐々に湾曲する形状をなしている。
【００７４】
排水口１０２が開状態であるときにおいて、排水は、流路構成部９側へと流れ込む際に、筒状基部７１の外側において筒状基部７１のほぼ接線方向に沿って流れるところ、上記のように羽根７３を平面視したときに筒状基部７１の周方向一方側に向けて徐々に湾曲する形状とすることで、羽根７３の湾曲内側部分に当たった排水は、当該湾曲内側部分に沿って流れる。これにより、排水の流れる方向が変化し、排水は、内側（筒状基部７１の外周面側）に向けて巻き込まれるようにして流れる。その結果、流路構成部９の内周面を回転する方向に流れる水流（螺旋流）を生じさせることができるようになっている。特に本実施形態では、筒状基部７１の外周面が上記のようなテーパ面であるため、排水をよりスムーズに下方へと案内することができ、その結果、螺旋流をより勢いよく生じさせることが可能となっている。
【００７５】
尚、羽根７３の数や形状、大きさを調節することで、排水の流れる向きを適宜変更可能である。例えば、羽根７３を、筒状基部７１から垂下するとともに、その下側部位が流路構成部９の内周面に接近するようにして徐々に反るような板状とすることで、流路構成部９の内周面に向けた水流（外向き水流）を生じさせることが可能である。
【００７６】
また、本実施形態では、羽根７３を設けることにより、羽根７３を設けない場合と比較して、流路構成部９内へと流れ込む排水の流量を調節する（減少させる）ことが可能である。尚、羽根７３の数や形状、大きさを調節することで、流路構成部９内へと流れ込む排水の流量を調節することができる。
【００７７】
被埋設部７４は、筒状基部７１の上部から連続的に上方に向けて延びる円筒状部位である。被埋設部７４は、その外径が外側筒部６１２の内径とほぼ同じものとされ、その内径が内側筒部６１３（根元側円筒部６１３Ａ）の外径とほぼ同じものとされている。
【００７８】
上記のように構成された整流部材７は、取付部７２が外側筒部６１２の外周下部に取付けられることで、栓蓋本体部６１の裏側に配設されている。より詳しくは、取付部７２を外側筒部６１２の外周下部に嵌め込むとともに、凹部７２１に爪部６１２Ａを配置し、取付部７２の少なくとも内周部分を爪部６１２Ａに係止した状態とすることで、取付部７２が外側筒部６１２の外周下部に取付けられ、その結果、整流部材７が栓蓋本体部６１の裏側に配設されている。
【００７９】
尚、栓蓋本体部６１へと整流部材７を取付ける前に、まず、外側筒部６１２の外周にパッキン部６２が配設される。このとき、パッキン部６２は、外側筒部６１２の下部を通してその外周に配置されるところ、上記の通り、外側筒部６１２における外径が一定の部分は弾性変形していない状態のパッキン部６２の内径よりも僅かに大きな外径を有するものとされている。そのため、パッキン部６２をさほど拡径変形させることなく、外側筒部６１２の外周に配設することができる。
【００８０】
また、栓蓋本体部６１へと整流部材７を取付けた状態において、取付部７２は、パッキン部６２の下方においてパッキン部６２と近接又は接触した状態で配置されている。すなわち、取付部７２は、外側筒部６１２からのパッキン部６２の脱落（抜け）を防止するといった機能をも有している。
【００８１】
さらに、取付部７２によって、前記環状凹部６２１における開口の全域が覆われている（図１参照）。すなわち、取付部７２は、環状凹部６２１の開口を覆うカバーとしての機能をも備えている。
【００８２】
加えて、栓蓋本体部６１へと整流部材７を取付けた状態において、被埋設部７４が溝部６１４へと埋設されるようになっている（図１参照）。本実施形態では、上記の通り、被埋設部７４の外径が外側筒部６１２の内径とほぼ同じものとされ、被埋設部７４の内径が内側筒部６１３の外径とほぼ同じものとされているため、被埋設部７４によって溝部６１４をほぼ隙間なく埋めることができるようになっている。
【００８３】
以上詳述したように、本実施形態によれば、整流部材７によって、流路構成部９の内周面を回転する方向に流れる水流（螺旋流）を生じさせたり、流路構成部９内へと流れ込む排水の流量を調節したりすることができる。
【００８４】
上記のような螺旋流を生じさせることによって、流路構成部９の内周面に対する汚れや異物の付着をより効果的に抑制することができ、また、仮に流路構成部９の内周面に汚れや異物が付着したとしても、これらを一層効果的に洗い流すことができる。その結果、良好な衛生性や美観をより長期間に亘って維持することができる。さらに、清掃に係る頻度や手間を減らすことができ、使い勝手を向上させることができる。
【００８５】
また、流路構成部９内へと流れ込む排水の流量を調節することによって、排水時における不快な異音の発生や、前記洗い場の排水口からの排水の溢れ出しなどをより確実に防止することができる。
【００８６】
加えて、本実施形態では、排水口１０２が開状態であるときに、つまり流路構成部９へと排水が流れ込み得るときに、脚部６１３Ｂが連結部４２同士の間に配置され、流路構成部９に対する栓蓋６の相対回転が規制されるように構成されている。そのため、排水による羽根７３の回転を抑えることができ、羽根７３によって排水の流れへとより確実に作用することができる。その結果、上記の作用効果をより確実に発揮させることができる。
【００８７】
さらに、種々の要素によって排水時に生じる水流や流路構成部９内へと流れ込む排水の流量などの状況は様々に変化するところ、本実施形態では、取付部７２が外側筒部６１２の外周に取付けられた状態とされることで、栓蓋本体部６１の裏側に整流部材７が配設されるように構成されている。従って、排水時に生じる水流や排水の流量などの状況に応じて適切な整流部材７を栓蓋本体部６１へと取付けることにより、上記のような作用効果を一層確実に発揮させることが可能となる。また、整流部材７のみを複数用意すれば足り、栓蓋本体部６１として共通のものを用いることができるため、羽根の数や形状等を種々異なるものとした栓蓋を多数用意する場合と比較して、コストの増大を効果的に抑制することができる。
【００８８】
加えて、環状の取付部７２を外側筒部６１２へと取付けるという非常に簡便な手法により、整流部材７を栓蓋本体部６１の裏側に配設することができる。そのため、整流部材７の取付や交換などに係る利便性を十分に高めることができる。
【００８９】
また、外側筒部６１２の外周に対するパッキン部６２の取付にあたって、パッキン部６２を大きく拡径変形させる必要がなくなる。これにより、パッキン部６２の取付をより容易に行うことが可能となり、取付作業性を向上させることができる。また、拡径変形によるパッキン部６２の破損や変形をより確実に防止することができる。
【００９０】
さらに、取付部７２に関し、パッキン部６２が乗り越えられるような構成とする必要はないため、本実施形態のように、取付部７２の外径をパッキン部６２の内径よりも十分に大きなものとすることができる。従って、パッキン部６２が拡径変形しても取付部７２を乗り越えられないようにすることができ、外側筒部６１２からパッキン部６２が外れて（抜けて）しまうことを極めて効果的に防止できる。その結果、パッキン部６２の取付状態に係る信頼性を非常に優れたものとすることができる。
【００９１】
加えて、外側筒部６１２の外周に取付部７２を取付けた状態において、取付部７２が爪部６１２Ａに係止された（掛かった）状態となる。従って、外側筒部６１２に対し取付部７２（整流部材７）をより安定した状態で取付けることができ、栓蓋本体部６１からの整流部材７の脱落防止や外側筒部６１２からのパッキン部６２の脱落防止をより確実に図ることができる。
【００９２】
また、取付部７２によって環状凹部６２１における開口の全域が覆われるため、非常に良好な美観を得ることができる。さらに、取付部７２は、栓蓋本体部６１に対する整流部材７の取付機能と、パッキン部６２の脱落防止機能と、環状凹部６２１のカバー機能とを兼ね備えたものとなるため、これら機能を発揮する部分を別々に設ける場合と比較して、装置の小型化や簡素化を図ることができる。併せて、環状凹部６２１における開口の全域を覆うように取付部７２を構成することで、結果的に、パッキン部６２における取付部７２の乗り越えを極めて生じにくい状態とすることができる。これにより、外側筒部６１２からのパッキン部６２の脱落を一層効果的に防ぐことができ、取付状態に係る信頼性をより優れたものとすることができる。
【００９３】
さらに、本実施形態では、内側筒部６１３（脚部６１３Ｂ）によって、栓蓋６における傾きや水平方向に沿った位置ずれの発生をより確実に防止することができる。これにより、排水口１０２を開状態としたときにおいて、支持軸５２の周方向に沿って、栓蓋６（栓蓋本体部６１）の下方に形成される隙間（排水の流路となる隙間）の大きさ（高さ）にバラツキが生じてしまうことをより確実に防止できる。その結果、整流部材７（羽根７３）によって、より確実に狙いの作用を生じさせることが可能となる。また、栓蓋６の傾き等が防止されることによって、一層良好な美観を得ることができる。
【００９４】
加えて、溝部６１４へと被埋設部７４が埋設された状態となるため、外側筒部６１２は、その内周部分が被埋設部７４によって支えられた状態となる。そのため、排水口１０２を閉状態としたときに、外側筒部６１２の外周に取付けられたパッキン部６２を排水口部材２へとより安定した状態で接触させることができ、止水状態の安定性を高めることができる。
【００９５】
また、溝部６１４に被埋設部７４が埋設されることで、内側筒部６１３の外側への撓み変形をより生じにくくすることができる。従って、保持部４３の外周に沿った内側筒部６１３（脚部６１３Ｂ）の移動をより安定した状態で行うことができ、栓蓋６における傾き等の発生防止をより確実に図ることができる。
【００９６】
尚、上記実施形態の記載内容に限定されず、例えば次のように実施してもよい。勿論、以下において例示しない他の応用例、変更例も当然可能である。
【００９７】
（ａ）上記実施形態において、羽根７３は、排水口１０２が開状態であるときに、その全体が連結部４２よりも上方に位置するように構成されている。これに対し、図５に示すように、羽根７５を下方に向けてより長く延びるように構成することで、排水口１０２を開状態としたときに、複数の連結部４２の間に羽根７５が配置された状態となるように構成してもよい。この場合には、連結部４２よりも上方に羽根全体が存在する場合と比較して、羽根７５によって生じた水の流れが連結部４２によって阻害されてしまうといった事態をより生じにくくすることができる。その結果、連結部４２よりも下方へと螺旋流などの水流をより確実に流すことができ、衛生性や美観、使い勝手に関する作用効果をより一層向上させることができる。
【００９８】
尚、複数の連結部４２の間に羽根７５が配置される構成では、排水口１０２が開状態であるときに複数の連結部４２の間に脚部６１３Ｂを配置し、当該脚部６１３Ｂによって、羽根７５に対する連結部４２の干渉（接触）が防止されるように構成することが好ましい。このように構成することで、羽根７５による上述の作用効果をより確実に生じさせることができる。
【００９９】
（ｂ）上記実施形態において、流路構成部９は、排水口部材２及び配管３により構成されているが、流路構成部は必ずしもこのような構成に限らない。例えば、排水口部材を省略するとともに、配管を、自身の内周面と浴槽１００における排水口１０２を形成する面とが連続するように浴槽１００へと直接接続する構成では、浴槽１００における排水口１０２を形成する部位及び配管によって流路構成部が構成されることとなる。また、この構成において、浴槽１００及び配管の上端面間に環状のシール部材を配設する場合、浴槽１００における排水口１０２を形成する部位、前記シール部材及び配管を通って排水が流れるため、シール部材も流路構成部の一部となる。
【０１００】
（ｃ）上記実施形態において、アタッチメント部材４は排水口部材２の内側に取付けられているが、アタッチメント部材４の取付対象は流路構成部９の内側であればよい。従って、アタッチメント部材４を、配管３の内側に取付けることとしてもよいし、排水口部材２から配管３にかけた両者の内側部分に取付けることとしてもよい。
【０１０１】
（ｄ）上記実施形態では、支持軸５２に栓蓋６が載置されるように構成されているが、支持軸５２の先端部（上端部）を栓蓋６に取付ける（固定する）ように構成してもよい。尚、この場合には、脚部６１３Ｂを省略してもよい。
【０１０２】
（ｅ）上記実施形態において、取付部７２は、環状凹部６２１における開口の全域を覆うように構成されているが、環状凹部６２１における開口の少なくとも一部を覆うように構成してもよい。この場合においても、美観の向上などを十分に図ることができる。
【０１０３】
（ｆ）上記実施形態では、脚部６１３Ｂによって回転規制手段が構成されているが、回転規制手段はこれに限定されるものではない。従って、例えば、保持部４３の外側に当該保持部４３の軸方向に延びる突起部を複数設けるとともに、内側筒部６１３の内周に、前記突起部間に配置される凸部を設けることで、流路構成部９に対する栓蓋６の相対回転を規制するように構成してもよい。すなわち、前記突起部及び前記凸部によって回転規制手段を構成してもよい。勿論、その他の手法によって回転規制手段を実現してもよい。
【０１０４】
（ｇ）上記実施形態では、羽根７３によって筒状基部７１及び取付部７２が連結されているが、必ずしも羽根７３によって筒状基部７１及び取付部７２を連結する必要はない。従って、例えば、筒状基部７１及び取付部７２を連結する部分を、羽根７３とは別に設けることとしてもよい。勿論、筒状基部７１及び取付部７２を一体としてもよい。
【０１０５】
（ｈ）上記実施形態では、栓蓋６（パッキン部６２）が排水口部材２に接触することで排水口１０２が閉状態となるように構成されているが、栓蓋６（パッキン部６２）が浴槽１００の底面部１０１に接触することで排水口１０２が閉状態となるように構成してもよい。
【０１０６】
（ｉ）上記実施形態では、槽体として浴槽１００を例示しているが、本発明の技術思想を適用可能な槽体は浴槽に限定されるものではない。従って、例えば、洗面ボウルやキッチンの流し台などの浴槽以外の槽体に対し本発明の技術思想を適用してもよい。
【符号の説明】
【０１０７】
１…排水栓装置、４…アタッチメント部材、６…栓蓋、７…整流部材、９…流路構成部、４２…連結部、４３…保持部、５２…支持軸、６１…栓蓋本体部、６２…パッキン部、７２…取付部、７３，７５…羽根、７４…被埋設部、１００…浴槽（槽体）、１０２…排水口、６１２…外側筒部、６１３…内側筒部、６１２Ａ…爪部、６１３Ｂ…脚部（回転規制手段）、６１４…溝部、６２１…環状凹部。
【図１】
2020020100.tif 000003
【図２】
2020020100.tif 000004
【図３】
2020020100.tif 000005
【図４】
2020020100.tif 000006
【図５】
2020020100.tif 000007